(57)【特許請求の範囲】
【請求項１】
少くとも３本の支脚（２、３、４）を有し、これらの支脚は、使用位置において、上部（２１、３１、４１）を各々備えると共に、該上部（２１、３１、４１）に対して入れ子式に移動させうる下部（２２、３２、４２）を備えており、該上部（２１、３１、４１）は、三脚の頂部（１）に回動可能に取付けてあり、更に
第１の支脚（２）の下部（２１）に固着された第１の支持板（２６）と、他の支脚（３、４）の下部（３２、４２）に固着された各１つの他の支持板（３６、４６）とを有し、
支脚（２、３、４）の下部（２２、２３、２４）が、三脚の搬送位置に対応する収納位置において上部（２１、３１、４１）に収納された時に、前記他の支持板（３６、４６）のいずれもが第１の支持板（２６）によって、他の支脚（３、４）が半径方向に拡開するのを拘束すると同時に長手方向に伸長するのを拘束するように、他の支持板（３６、４６）の下側から直接にか又は間接に係合されるようにしたこと、
を特徴とする三脚。
【請求項２】
少くとも第１の支脚（２）に固着された少くとも１つのロック装置（２７）を有し、該ロック装置によって、少くとも第１の支脚（２）がそれぞれ上部（２１）に収納された収納位置において固定されうるようにしたことを特徴とする請求項第１項記載の三脚。
【請求項３】
第１の支持板（２６）が、三脚の頂部（１）に指向した少くとも１つの突起（２６１、２６２）を有し、他の支持板（３６、４６）の少くとも１つが、それに所属された凹所（４６１、３６１）を有することにより、該突起（２６１、２６２）が収納位置において凹所（４６１、３６１）に係合することを特徴とする請求項第１項又は第２項記載の三脚。
【請求項４】
前記他の支持板（３６、４６）の少くとも１つが、三脚の頂部（１）から離れる方向に指向した少くとも１つの突起を有し、少くとも第１の支持板（２６）が、それぞれに所属された凹所を有することにより、収納位置において前記突起が前記凹所中に係合されることを特徴とする請求項第１項又は第２項記載の三脚。
【請求項５】
前記他の支持板（３６、４６）が、三脚の頂部（１）に指向した突起（４６２、３６２）を有し、該突起は、収納位置において、第１の支脚（２）の上部（２１）に固着された弓状片（２５１）と係合されることを特徴とする請求項第１項又は第２項記載の三脚。
【請求項６】
弓状片（２５１）が通し孔を囲み、第１の支脚（２）から離れる方向に指向し、該弓状片（２５１）は、第１の支脚（２）の上部（２１）に固着され、収納位置において、前記他の支持板（３６、４６）が該弓状片（２５１）によって囲まれた開口中に係合するように、第１の支持板（２６）の上方に隔てられて配置されたことを特徴とする請求項第５項記載の三脚。
【請求項７】
前記突起（２６１、２６２、４６２、３６２）がピンであり、前記凹所（４６１、３６１）は、それぞれの支持板中に形成された孔であることを特徴とする請求項第３−６項のいずれか１項記載の三脚。
【請求項８】
前記ロック装置（２７）が各々の支脚（２）の上部（２１）及び下部（２２）の、三脚の頂部（１）に指向した先端に配されたことを特徴とする請求項第２項記載の三脚。
【請求項９】
前記ロック装置（２７）が、凹所を備えたばねクランプ（２７２）及び突起（２７１）から成る点状の係留部として構成され、これらは、下部（２２）が上部（２１）中に収納された時に互に係合し、ばねクランプ（２７２）が、第１の支脚（２）の上部（２１）に配され、前記突起（２７１）が下部（２２）に配されたことを特徴とする請求項第８項記載の三脚。
【請求項１０】
前記ロック装置（２７）が、スナップばね（２７３）及び開口（２７４）として構成され、これらは、下部（２２）が上部（２１）中に収納された時に互に係合し、スナップ式のばね（２７３）が、第１の支脚（２）の上部（２１）に配され、前記開口が下部（２２）に配されたことを特徴とする請求項第８項記載の三脚。
【請求項１１】
前記支脚（２、３、４）の下部（２２、３２、４２）が、地面に設置されるためのシュー（２３、３３、４３）を有し、支持板（２６、３６、４６）がシュー（２３、３３、４３）の領域に配されたことを特徴とする請求項第１−１０項のいずれか１項記載の三脚。
【請求項１２】
前記第１の支持板（２６）にスペーサー（２８）が所属されこのスペーサーによって前記他の支持板（３６、４６）が第１の支脚（２）の下部（２１）から隔てられて保持されたことを特徴とする請求項第１−１１項のいずれか１項記載の三脚。
【発明の詳細な説明】
【０００１】
【発明の属する技術分野】
本発明は、少くとも３本の支脚を有し、これらの支脚は、引出し可能ないし傾倒可能に三脚の頂部に固定してあり、その下部は、上部中に、入れ子式に収納することができ、また三脚の搬送位置において各々の支脚を互に対し拘束するための係留手段が設けられている三脚に関する。この三脚は、例えば、測量計器の支持等に用いられる。
【０００２】
【従来の技術】
従来の、３本の支脚を備えた三脚、例えば本出願人のＧＳＴシリーズ１２０−９による三脚は、各々の支脚を搬送時に互に対し係留し相互からの脱落を防止するための、各々の支脚に取付けられた係留手段を備えている。係留手段は、シューに取付けたフックと、締付け帯片に取付けた弓状片とを、各々の支脚に備えている。締付け帯片によって、支脚の下方の可動部（下部）をその固定の上部中に固定的に締付けることができる。係留のためには、締付け帯片をゆるめ、各々の支脚のフックを隣接した支脚の弓状片を介して次々に挿入する。次に支脚を折畳み位置として締付け帯片を固定させることによって、フックと弓状片を互に係合させ、支脚が相互から脱落することを防止する。係留手段は、全ての３本の支脚について同様の構成とされている。
【０００３】
３つの全ての締付け帯片を十分に強く締付ける必要のあることが不具合である。その場合、支脚が相互に対してフック止めされる際に、締付け帯片の締付けねじを締めたりゆるめたりする。また搬送中の振動によってねじがゆるめられたり、全く解除されたりすることもあり得る。搬送位置において、狭い空間のため、締付けねじは、ある最大の大きさを超過してはならないので、適用される締付け力は限られている。締付けねじの操作は、特に寒冷地において測量作業を行う場合に困難となる。更に、締付け帯片のそれぞれの締付けねじを操作する場合、操作者が腰をかがめることが必要になる。
【０００４】
締付け帯片の１つが脱落した場合、１本の支脚が解除されるおそれを生じる。また、他の締付け帯片が脱落した場合、全部の支脚が相互から開放されることがある。
【０００５】
【発明が解決しようとする課題】
本発明の課題は、各々の支脚を、高度の確実さをもって簡単にしかも容易にロック可能とした三脚を提供することにある。
【０００６】
【課題を解決するための手段】
この課題は、請求項第１項の特徴事項によって解決される。即ち、本願発明による三脚は、少くとも３本の支脚を有し、これらの支脚は、使用位置において、上部を各々備えると共に、該上部に対して入れ子式に移動させうる下部を備えており、該上部は、三脚の頂部に回動可能に取付けてあり、更に
第１の支脚の下部に固着された第１の支持板と、他の支脚の下部に固着された各１つの他の支持板とを有し、
支脚の下部が、三脚の搬送位置に対応する収納位置において上部に収納された時に、前記他の支持板のいずれもが第１の支持板によって、他の支脚が半径方向に拡開するのを拘束すると同時に長手方向に伸長するのを拘束するように、他の支持板の下側から直接にか又は間接に係合されるようにしたこと、
を特徴とする。
【０００７】
本発明の有利な実施態様は、請求項第２項以下の特徴事項によって示される。必要に応じ、各従属請求項の記載事項は、引用をもって組込むものとし、ここに記載されたものとみなされる。
【０００８】
従来の三脚のロック装置の点対称の構成とは相違して、本発明による係留（ロック）手段は、点対称には構成されていない。第１の中心部の支脚（中心支脚）に、他の支脚を、締付け帯片の解除後に懸架させる。次に各支脚を収納状態とするが、その際に中心支脚だけを収納状態においてきつく締付ける。それにより全部の３本の支脚が相互から脱落したり伸長したりしないようにされる。
【０００９】
【発明の実施の形態】
係留手段は、中心支脚に第１の支持板を、また他の支脚に各々の他の支持板を、それぞれ備えている。本発明の構成によれば、中心支脚の支持板は、突起例えばピンを備えており、これらの突起例えばピンは、三脚の頂部の方に上方に指向されている。補助支脚の他の支持板は、所属された凹所例えば通し孔を有し、これらの凹所は、中心支脚の第１の支持板のピン上に載置される。別の方法として、前記ピンは、補助支脚に所属された弓状片により囲まれるようにしてもよい。本発明の更に別の構成によれば、三脚の頂部から下方に指向させたピンを、補助支脚の他の支持板に配設して、中心支脚の支持板の所属された通し孔中に係合させてもよい。本発明の更に別の実施態様によれば、補助支脚の前記他の支持板は、三脚の頂部に向って上方に指向させたピンを備えていてもよい。係留のためには、補助支脚の支持板が中心支脚の第１の支持板上に載置されるように、補助支脚を内方に回動させる。中心支脚の固定の上方の区画、好ましくは締付け帯片に固着した弓状片は、三脚の各支脚の収納時に、前記ピンを把持する。
【００１０】
本発明において、支持板とは、三脚の搬送位置において互に係合する、内方に指向した、任意の形状の付属部分を意味する。
【００１１】
各支持板は、三脚の各支脚を地面上に載置するために、各支脚の可動部分の下端に配設した三脚の支脚のいわゆるシュー又はその近傍に固定される。本発明によれば、補助支脚の支持板は、一般に、中心支脚の第１の支持板上に載置されるが、必要ならば中心支脚の締付け帯片に所属されて全ての支持板に通されこれらを垂直位置に固定する対応形状の軸を介して前記他の支持板を支持状に保持することを可能とする手段を用いてもよい。収納状態では、ピンと通し孔もしくは弓状片とが互に係合するので、一方もしくは両方の補助支脚が相互から脱落したり相互から離れるように開放されたりすることがさけられる。一方の補助支脚が係留状態から解除されようとしても、他方の補助支脚が引続き強く係留されている。
【００１２】
三脚の各々の支脚を収納位置に保持するためには、中心支脚の上部の下端に配された締付け帯片が用いられる。補助支脚を特に強く締付ける必要はない。有利には、その代りにか又はそれと組合せて、中心支脚の両方の部分の、三脚の頂部に向って上方に指向された先端に付設された拘束装置を用いてもよい。締付け帯片は、保持をより強固とするために更に締付けてもよい。この拘束装置は、有利には、点状に孤立した係留部とする。この点状の係留部は、ピンが係合するための凹部を備えた締付けばねとしてもよい。この場合、締付けばねは、中心支脚の上部の上端に、またピンは、中心支脚の可動部の上端に、それぞれ固着することができる。収納位置において、締付けばねは、ピンが前記凹所に係合するまで、該ピン上において移動する。拘束装置の２つの成分は、互に逆としてもよい。即ち、前記ピンは、上部の上端に、また締付けばねは、中心支脚の下方の可動部分の上端に、それぞれ固定してもよい。別の方法として、特に中心支脚の内面上に配設されて中心支脚の下部の上端が大き目の凹所に係合するスナップばねを、締付けばねの代りに用いてもよい。有利には、前記凹所に所属されたストッパーを、各支脚の下部の収納方向の運動及び／又は引出し方向の運動を減衰させるために用いてもよい。各支脚を収納状態に拘束するために、操作者が背をかがめることはもはや不要となる。
【００１３】
３本の全部の支脚のこのような拘束と、それ自身既知の、各支脚の外方への回動を阻止するためのそれ自体既知の装置との組合せは、耐久性のある三脚を供与するための特に簡単な可能性を示している。そのためには、支持板を配設することは、原則的に不要となる。
【００１４】
有利には、中心支脚の第１の支持板にスペーサーを所属させることにより、他の支持板を中心支脚の支持板上に載置する際に補助支脚を中心支脚から必要な距離において保持することが可能となる。従って通し孔又は拘束装置の弓状片に相互に係合させる操作が特にすみやかに正確に行われる。スペーサーは、本発明の第１の支持板に固定されるか又は必要ならば補助支脚に所属させた弓状片又は合成樹脂製の部材とすることができる。
【００１５】
【実施例】
次に図面に示した本発明の実施例について一層詳細に説明する。
【００１６】
図１は、三脚を示し、三脚の頂部１には、３本の支脚２、３、４が、回動可能に取付けられている。各々の支脚は、上部２１、３１、４１を有し、これらの上部は三脚の頂部１に回動可能に取付けられている。上部２１、３１、４１は、ガイドを形成し、このガイド中に下部２２、３２、４２が抜差し自在に配設されている。下部２２、３２、４２の下端には、地面上に載置されるいわゆるシュー２３、３３、４３が結合されている。シュー２３、３３、４３は、尖状の先端を有すると共に、踏み面２４、３４、４４を有しているため、シュー２３、３３、４３は、操作者によって地中に挿入することができる。
【００１７】
使用に際して、下部２２、３２、４２は、三脚の上部２１、３１、４１から、所望の長さまで引出され、締付け装置によって固定される。この締付けには、三脚の各上部２１、３１、４１の下端に取付けた、いわゆる締付け帯片２５、３５、４５が用いられる。これらの締付け帯片は、それぞれの脚部を囲むように把持する。締付け帯片に取付けた固定ねじによって、三脚の上部２１、３１、４１と下部２２、３２、４２とを互に対して加圧し、摩擦結合継手を形成する。次に、頂部１に、三脚台を載置し、水平に方向決めし、例えば測量器具を取付けて測量作業を行うための準備状態とする。
【００１８】
三脚を移動させるには、締付け帯片２５、３５、４５の固定ねじをゆるめ、三脚の上部２１、３１、４１中に下部２２、３２、４２を部分的に挿入する。三脚のそれぞれの脚部を内方に回動させ、さらに各下部を完全に収納させ、互いに係止する。係止した状態では、三脚のそれぞれの下部２２、３２、４２は、上部２１、３１、４１からの引出し、特に、三脚の頂部１の回動軸を中心とした外方への回動ができなくなる。これにより、係止された三脚は、コンパクトな形で持運びできるようになる。
【００１９】
本発明によれば、確実に、使い易い係止を行いうるようにするために、三脚のシュー（ないし先端突起）２３、３３、４３又はその近傍に、支持板２６、３６、４６が設けられている。支持板２６、３６、４６は、シュー２３、３３、４３の、各脚部の下部の外側下端の近くに設けた踏み面２４、３４、４４と反対側に配されている。即ち、支持板２６、３６、４６は、三脚の中心部に向う方向に、即ちそれぞれ他の三脚の脚部に、指向している。支持板２６、３６、４６の実施態様は、図２−８に詳示されている。各図において、対応する要素は、同一の符号により示されている。第１の実施態様において、図２ａは、搬送状態において係止後の三脚の脚部の水平断面図、図２ｂは、図２ａの切断線Ａ−Ａに沿った垂直断面図である。三脚の支脚２の第１の支持板２６は、２つのピン２６１、２６２を備えている。これらのピンの突出端は、三脚の頂部１の方向に上方に指向している。ここでの、第１の支持板は、矩形の形状となっている。ピン２６１、２６２は、三脚の支脚２の下部２２と反対側の、第１の支持板の隅角部に配されている。第１の支持板は、三脚の支脚２の下部２２の長手方向と直角に指向（突出）している。三脚の支脚３、４のシュー３３、４３の支持板３６、４６は、その先端に、通し孔３６１、４６１をそれぞれ備えている。通し孔３６１、４６１とピン２６１、２６２とは、三脚の各支脚を互いに回動させた状態において、ピン２６１、２６２が通し孔３６１、４６１にそれぞれ進入するように配されている。三脚の支脚３、４の他の支持板３６、４６相互に同様に構成されている。それに反し、中心部の支脚２の第１の支持板２６は、その形状及びシューに対する配置が異なっている。係止手段は対称軸線１１に対して対称に構成されている。公知技術の場合のように、３つの全部の支脚において係止手段が順に同一であるような点対称は存在しない。そのため、三脚の支脚２は、以下に中心支脚と称され他の支脚３、４は補助支脚と称される。
【００２０】
図１に示した三脚の作業位置から、搬送位置にもたらすには、次の操作が必要とされる。補助支脚３、４の締付け帯片の１つ、例えば締付け帯片３５をゆるめ、補助支脚３の下部３２をその上部３１中に押込みうるようにする。三脚の支脚３は、中心支脚２の方に内方に回動される。下部３２をもち上げ、補助支脚の別の支持板３６を中心支脚２の支持板２６上に載置し、その際に、通し孔３６１がピン２６２の上方に位置されるようにする。次に補助支脚４の締付け帯片４５をゆるめる。通し孔４６１は同様にピン２６１の上方に位置させる。締付け帯３５、４５はゆるめたままにしておく。次に中心支脚の締付け帯２５をゆるめる。全部の下部２２、３２、４２は、三脚の支脚の上部２１、３１、４１中に完全に挿入される。最後に、中心支脚の下部２２を拘束する。この目的のために、有利には点状に孤立状態の拘束装置２７（ロック装置）が中心支脚２の上端に配されている。この拘束装置は、中心支脚２の下部２２の上端に配された突起２７１と、中心支脚２の上部２１の上端に固定されていて凹部を備えているばねクランプ（弾性スナップ係止具）２７２とを備えている。下部２１は、突起２７１がばねクランプ２７２の凹部に係合するまで押込む。中心支脚２の下部と上部２２、２１をロック装置２７により拘束するだけでよい。これにより補助支脚３、４の引出し及び外方への回動に対しても同時にロックされる。それは、ピン２６１、２６２が通し孔４６１、３６１中に係合するようにそれぞれ保持されるためである。必要ならば、ロック装置２７が不意に解除されることに対するロックの安全性を高めるために、中心支脚の締付け帯片２５をきつく締めてもよい。支持板は、内方に収納した状態で補助支脚３、４の支持板３６、４６が中心支脚２の支持板２６の上方に載置されるように、互いに対応して、それぞれのシューに固定されている。補助支脚３、４の下部３２、４２の長さは、これらが搬送状態では完全に収納され、それぞれの支持板３６、４６が中心支脚２の支持板２６上に固定的に載置されると共に、ピン−通し孔が互に確実に係合した状態となるように定めている。三脚を使用するには、前記の手動操作を逆の順で行えばよい。
【００２１】
ロックを確実に行うために、ロック装置２７の係合は、原則として中心支脚２の上端に到達して行う。ロック装置２７のロック及びその解除は、常に操作者の直立姿勢において行うことができる。ロックの安全性を高めるために締付け帯片２７を随時締付ける場合を除いて、三脚の支脚の収納の場合には、締付け帯片２５、３５、４５は、搬送状態を設定したり再作動を設定したりする目的のために使用しなくても良いので、それぞれの締付けねじは、比較的大形のものとすることができる。このような大形の締付けねじの操作は、特に気候が寒冷な場合に、簡単になり、また容易になる。これは、回転モーメントが大きくなり、また入れ子式の支脚の場合に不時のがたつきに対する安全性が高められるためである。
【００２２】
有利には、中心支脚の第１の支持板２６上にスペーサー２８を配設する（図２）。この目的のために湾曲片や合成樹脂製の直方体を用いてもよい。スペーサー２８は、補助支脚３、４の過度の収納ないしは中心支脚の第１の支持板２６と補助支脚との衝突を防止する。
【００２３】
図２ａ、２ｂに示したように支持板の通し孔及びピンを用いる代りに、中心支脚２の第１の支持板２６にピンでなく通し孔を、また補助支脚３、４に通し孔でなくピンを、それぞれ配するようにしてもよい。後者のピンは、下方に、即ち三脚の頂部から通し孔の方向に指向される。搬送状態を設定するには、補助支脚を次々に収納し、中心支脚の第１の支持板の通し孔にピンを挿入する。それ以外の要素並びに操作は前記と同様である。
【００２４】
図３に、別の構成による係留手段を示す。図３ａは、搬送状態にある三脚の支脚を通る水平断面図であり、補助支脚３、４の切断面は、シューに取付けた他の支持板の直上にあり、また補助支脚２の切断面は、締付け帯片の高い位置にある。図３は、図３ａの断面線Ｂ−Ｂに沿った垂直断面を示している。この実施態様においては、第１の支持板２６は、通し孔もピンも備えていない。第１の支持板２６上には、補助支脚の他の支持板３６、４６が載置されている。これらの別の支持板３６、４６上には、ピン３６２、４６２がそれぞれ配設してあり、これらのピンは、上方に、即ち三脚の頂部１の方に指向している。搬送状態では、弓状片２５１がピン３６２、４６２の回りに係合する。弓状片２５１は、中心支脚２の締付け帯片２５に固着されている。有利には、係留用の弓状片２５１は、締付け帯２５と一体にこれから弓状に突設され、これと同一の材料からできている。係留用の弓状片２５１は、中心支脚２から離れる方向に突出指向し、１つの通し孔を弓状ないし台形状に囲むよう構成されている。図示した実施態様の場合、弓状片は、中心支脚と直交している。
【００２５】
搬送状態を設定するには、補助支脚３、４を収納位置とし、支持板３６、４６を中心支脚の支持板２６上に載置する。スペーサー２８は、三脚の支脚３、４を中心支脚２から十分な距離のところに保持している。中心支脚２の締付け帯２５をゆるめた後、係留用の弓状片２５１をピン３６２、４６２に引掛ける。弓状片２５１は、中心支脚の支持板２６の上方にそれから隔てられた収納位置にあるので、他の支持板のピン３６２、４６２は、弓状片２５１によって囲まれ、支持板３６、４６は、弓状片２５１と第１の支持板２６との間に介装されて存在する。
【００２６】
図３に示した実施態様は、図２を参照として説明した実施態様と組合せることができる。
【００２７】
図４−８において、別の実施態様による係留手段は、水平断面のＡ−Ａ断面線に沿った水平断面及び垂直断面において図示されている。
【００２８】
図４ａ、４ｂにおいて、中心支脚２の締付け帯２５に、係留用の弓状片２５１（断面略三角形）が配され、この弓状片２５１は、下方に延長する軸５０を三角頂部の筒状部に挿通して有し、支持位置において通し孔２６１、３６１、４６１を通っている。これらの通し孔は、中心支脚２の最も下方の第１の支持板２６及び補助支脚３、４の他の支持板３６、４６に形成されている。
【００２９】
図５−７は、同様の実施態様を示し、この実施態様においては、補助支脚３、４の別の支持板３６、４６の各先端に設けられて上方に突出するピン３６２、４６２は、係留用の弓状片２５１（略三角断面）に形成した通し孔に進入している。これにより補助支脚３、４は、搬送位置において相互から離脱しないようにされている。補助支脚３、４の垂直方向の位置決めは、第１の支持板２６によって確保される。この第１の支持板２６は、その中心方向への突端２２２によって、形状結合（アリツギ係合）的に、別の支持板特にその下部側の切欠に係合している。これらの他の支持板は、それぞれの支脚の軸線に心合せされて、又は心合せされることなく配置することができる。
【００３０】
図８に示した本発明の別の実施態様においては−図２による実施態様と同様に−上方に指向するピン２６１、２６２が第１の支持板２６（その左右両側基部）に配設してあり、これらのピンは、補助支脚３、４の締付け帯片３５、４５（その中心側）に配された係留用の弓状片３５１、４５１（変形三角形断面）の通し孔に係合している。他の支持板３６、４６は、突起３８０、４８０によって第１支持板２６上に着座していることにより、搬送位置において補助支脚の脱落が確実に防止され、更に、ピン２６１、２６２と係留用の弓状片３５１、４５１によって、不所望の回動も確実に防止される。係留用の弓状片３５１、４５１は、中心支脚２の締付け帯片２５のためのストッパーとしても動作するように構成されている。
【００３１】
図８に示した構成（三脚の搬送方向において２つの締付け帯片の締付けねじは基本的に互に上下方向（図８（ａ）で紙面と直交方向）に重なるように位置される）においては、図６の構成と同様に、３本の支脚の円対称は存在しない。閉合された三脚は、寝かせておいた搬送位置において、ある１つの位置で、比較的安定した姿勢となるように構成され、例えば自動車によって搬送する際にころがり難くなされている。
【００３２】
図９ａ、９ｂには、中心支脚２の上部２１にロック装置２７を配設しうる可能性が図示されている。前述したように、中心支脚２にそのような単一のロック装置を配すれば十分であるが、他の２つの支脚についても同様のロック装置を補助的に配しうることは明白である。
【００３３】
中心支脚２の上端には、−他の２本の支脚３、４についても同様であるが−支脚キャップ８が、三脚の頂部１において軸８１の回りに回動自在に支承されている。支脚キャップ８は、２つのロッド状の支柱２１′、２１″から成る上部２１の上端に着座している。中心支脚２の下部２２は、これらの支柱２１′、２１″の間に入れ子式に移動自在とされている。搬送位置においては、下部２２は、上部２１中に完全に収納される。この状態は、図９ａ、９ｂに図示されている。
【００３４】
ここでは、図１の既知のばねクランプ２７２の代りに、スナップばね２７３が、弾性係合具として用いられている。このスナップばねは、弾性係合具たるばねクランプ２７２とは異なって、支脚キャップ８の内面に配されている。これにより、粗雑な条件の下に搬送したり三脚を取上げたりした時にばねが不意にゆるめられる可能性が防止される。ばねクランプは、上部２１の上端に配された開口（通し孔）２７４に係合されている。この通し孔２７４は、操作者の指を十分に挿入しうるに足る大きさに保たれている。これによりスナップばね２７３を必要に応じてゆるめうるだけでなく、操作者が支脚を１本の指で抜差し式に移動させうるようになっている。下部２１が折畳み時に上部２２の支脚キャップ８に、また最大限度まで引出した時に上部２２の締付け帯片２５に衝突する際の衝撃を緩和するための、例えば開口２７４の回りに配されたゴムリング２７５の形のクッションを用いても良い。
【００３５】
本発明によれば、単一のロックによって支脚の半径方向の回動並びに上下方向の引出しを防止しながら、三脚の支脚を確実に係留することが可能となる。係留操作は、直立した姿勢の１人の操作者によって行うことができる。
【００３６】
【発明の効果】
本発明によれば、各支脚を、高度の確実さをもって簡単にしかも容易にロック可能とした三脚が実現される。（請求項１以下）
より具体的には、単一のロックによって支脚の半径方向の回動及び上下方向の引出しを防止しながら、支脚を確実に係留することができる。（請求項２）
この際係留操作は、１人で立ったままで容易に行なうことができる。
請求項３以下の各従属請求項の特徴によってさらに付加的な利点が夫々達成される。これらの利点は、実施の形態及び実施例の記載から図面を参照して、いずれも明らかになっている。
【図面の簡単な説明】
【図１】三脚の側面図である。
【図２】図２（ａ）、（ｂ）は、係留手段の第１実施態様を示す横断面図である。
【図３】図３（ａ）、（ｂ）は、係留手段の第２実施態様を示す横断面図である。
【図４】図４（ａ）、（ｂ）は、本発明の別の実施態様を示す横断面図である。
【図５】図５（ａ）、（ｂ）は、本発明の別の実施態様を示す横断面図である。
【図６】図６（ａ）、（ｂ）は、本発明の別の実施態様を示す横断面図である。
【図７】図７（ａ）、（ｂ）は、本発明の別の実施態様を示す横断面図である。
【図８】図８（ａ）、（ｂ）は、本発明の別の実施態様を示す横断面図である。
【図９】図９（ａ）、（ｂ）は、支脚キャップ及びロック装置を備えた三脚の支脚の上端の正面図及び垂直断面図である。
【符号の説明】
１  三脚の頂部
２、３、４  支脚
２１、３１、４１  上部
２２、３２、４２  下部
２６、３６、４６  支持板
【図１】
0004302271.tif 000002
【図２】
0004302271.tif 000003
【図３】
0004302271.tif 000004
【図４】
0004302271.tif 000005
【図５】
0004302271.tif 000006
【図６】
0004302271.tif 000007
【図７】
0004302271.tif 000008
【図８】
0004302271.tif 000009
【図９】
0004302271.tif 000010